(57)【要約】【課題】  扱いがきわめて楽で便利な釣用装着体の提供。【解決手段】  指挿通部を備え少なくとも人さし指の指挿通部の先端側は開放されて人さし指を出せるようになっている装着体本体と、人さし指を覆う指カバー部と、手首に巻付けられる手首バンド部とを備え、指カバー部は、その先端側部に設けられ装着者の人さし指の先端側を覆うカバー本体と、基端側部に設けられ装着体本体において装着者の手の甲に相当する領域内にある取付部とを備え、取付部において、装着体本体と縫着される縫目が手首バンド部よりも手先側にあってしかも手幅方向に沿って形成され、カバー本体が、縫目回りに回動自在とされた釣用装着体。【選択図】  図２
2014156679.tif 000002
【特許請求の範囲】
【請求項１】
指挿通部を備え少なくとも人さし指の指挿通部の先端側は開放されて人さし指を出せるようになっている装着体本体と、人さし指を覆う指カバー部と、手首に巻付けられる手首バンド部とを備え、
前記指カバー部は、その先端側部に設けられ装着者の人さし指の先端側を覆うカバー本体と、基端側部に設けられ装着体本体において装着者の手の甲に相当する領域内にある取付部とを備え、
該取付部において、装着体本体と縫着される縫目が手首バンド部よりも手先側にあってしかも手幅方向に沿って形成され、
前記カバー本体が、前記縫目回りに回動自在とされたことを特徴とする釣用装着体。
【請求項２】
縫目の手幅方向の長さは、親指と人さし指との間に相当する部位から中指に相当する部位まで延長されることで、カバー本体の手幅方向の長さに比べて長く形成されている請求項１記載の釣用装着体。
【請求項３】
取付部は、指の長さ方向に伸縮する請求項１または請求項２記載の釣用装着体。
【請求項４】
取付部は、装着体本体に比べて厚手の生地で形成されている請求項３記載の釣用装着体。
【請求項５】
手首バンド部は装着者の手首全体を締付け可能なよう帯状に形成されるとともに、手首における親指側を覆う部分に比べて手首における小指側を覆う部分の幅は太く設定されている請求項１ないし請求項４の何れか１項に記載の釣用装着体。
【発明の詳細な説明】
【技術分野】
【０００１】
本発明は、スピニングリールを使用した投げ釣り等に用いられる釣用装着体に関する。
【背景技術】
【０００２】
この種の釣用装着体として、下記特許文献１に記載の釣用手袋が提案されている。魚釣りでは、釣糸を結び、釣針に餌を取付ける等、指先を使う細かい作業を行うため、かかる釣用手袋では、指挿通部の先端側が開放されて指（図５では、親指、人さし指、中指）が出せるようになっている。
【０００３】
いっぽうで、スピニングリールを使用した投げ釣り等において、キャスティング時に釣糸を掛ける指を保護するために、別の釣用装着体が用いられる場合がある。この種の釣用装着体として、下記特許文献２に記載の釣用指カバーが提案されている。かかる釣用指カバーは、釣用手袋を使用する場合では、釣人が釣用手袋を装着したうえで装着される。
【先行技術文献】
【特許文献】
【０００４】
【特許文献１】特開２００９−３５８３０号公報
【特許文献２】特開２００８−１３１８９１号公報
【発明の概要】
【発明が解決しようとする課題】
【０００５】
しかしながら、釣用手袋を装着したうえで釣用指カバーを装着するといった作業は、釣人にとって扱いが面倒で不便である。そこで本発明は、扱いがきわめて楽で便利な釣用装着体の提供を目的とする。
【課題を解決するための手段】
【０００６】
本発明の釣用装着体は、指挿通部を備え少なくとも人さし指の指挿通部の先端側は開放されて人さし指を出せるようになっている装着体本体と、人さし指を覆う指カバー部と、手首に巻付けられる手首バンド部とを備え、前記指カバー部は、その先端側部に設けられ装着者の人さし指の先端側を覆うカバー本体と、基端側部に設けられ装着体本体において装着者の手の甲に相当する領域内にある取付部とを備え、該取付部において、装着体本体と縫着される縫目が手首バンド部よりも手先側にあってしかも手幅方向に沿って形成され、前記カバー本体が、前記縫目回りに回動自在とされたことを特徴としている。
【０００７】
上記構成において、装着者は指挿通部に各指が挿通するよう装着体本体を手に装着し、手首バンドを手首に巻いてからカバー本体を取付部の縫目回りに回動させてカバー本体を人さし指の先端側に被せることで釣用装着体を手に装着したり、カバー本体を人さし指の先端側に被せてから手首バンドを手首に巻いて釣用装着体を手に装着したりできる。また、手首バンドを手首から外し、カバー本体を人さし指の先端側から外して装着者の手から釣用装着体を外したり、カバー本体を取付部の縫目回りに回動させてカバー本体を人さし指の先端側から外し、手首バンドを手首から外すことで装着者の手から釣用装着体を外したりでき、装着体本体とカバー本体とは、縫着されることで一体化されているから装着体本体とカバー本体とを別々に扱わなくてよい。
【０００８】
本発明の釣用装着体では、縫目の手幅方向の長さは、親指と人さし指との間に相当する部位から中指に相当する部位まで延長されることで、カバー本体の手幅方向の長さに比べて長く形成された構成を採用することができる。
【０００９】
この構成によれば、縫目の手幅方向の長さが所定の長さだけ確保されているから、縫目の手幅方向の長さに比べて短い手幅方向のカバー本体を取付部回りに回動させる場合に、その動作を安定させられる。
【００１０】
本発明の釣用装着体では、取付部は、指の長さ方向に伸縮する構成を採用することができる。この構成によれば、取付部の伸縮性を利用して取付部を伸ばすようにすれば、カバー本体の着脱がしやすい。
【００１１】
本発明の釣用装着体では、取付部は、装着体本体に比べて厚手の生地で形成された構成を採用することができる。この構成によれば、取付部の伸縮量を充分に確保することが可能である。
【００１２】
本発明の釣用装着体では、手首バンド部は装着者の手首全体を締付け可能なよう帯状に形成されるとともに、手首における親指側を覆う部分に比べて手首における小指側を覆う部分の幅は太く設定された構成を採用することができる。この構成のように、手首バンド部において小指側を覆う部分の幅を太く設定することで、手首バンド部を手首に巻いた際に良好なフィット感が得られる。
【発明の効果】
【００１３】
本発明の釣用装着体では、装着体本体とカバー本体とは、取付部の縫目で縫着されることで一体化されているから、装着体本体とカバー本体とを別々に扱わなくてよく、装着および取外しが楽で、利便性が良い。
【図面の簡単な説明】
【００１４】
【図１】本発明の一実施形態を表す釣用グローブの装着状態の、手の甲側からの斜視図である。
【図２】同手の側部側からの斜視図である。
【図３】同カバー本体を人さし指から取外した状態の、手の甲側からの斜視図である。
【図４】同手を握った状態の、手の甲側からの斜視図である。
【図５】同手を開いた状態の、手のひら側からの斜視図である。
【図６】同装着体本体と手首バンド部のそれぞれに、縫目の部位を対応するアルファベットで表したパターン図である。
【発明を実施するための形態】
【００１５】
以下、本発明の釣用装着体（以下、「釣用グローブ」と称する）の一実施形態を、図１ないし図６を参照して説明する。なお、これらは、釣用グローブ１は右手装着用（右利き用）の場合の説明図である。左手装着用（左利き用）の釣用グローブ１の構成は、右手装着用の釣用グローブ１とは左右対称となるので、左手装着用の釣用グローブ１は、以下の右手装着用の釣用グローブ１の説明に兼用される。
【００１６】
図１ないし図５に示すように、釣用グローブ１は、一体に形成された装着体本体２、手首バンド部３、および指カバー部４を備える。装着体本体２は、装着者である釣人の手のひら側（表側）および手の甲側（裏側）を覆う被覆部５と、五本の指Ｆ１、Ｆ２、Ｆ３、Ｆ４、Ｆ５を挿通するための指挿通部Ｓ１、Ｓ２、Ｓ３、Ｓ４、Ｓ５とを備える。被覆部５および指挿通部Ｓ１、Ｓ２、Ｓ３、Ｓ４、Ｓ５は、例えば皮生地によって一体的に形成されている。装着体本体２は手の甲側装着部６と手のひら側装着部７とを備えている。手の甲側装着部６および手のひら側装着部７は縁部で縫着されて装着体本体２となっている。装着体本体２において、手のひら側を主に、滑り止め加工が施されている。
【００１７】
図６に示すように、手の甲側装着部６には、後に詳述する手首バンド部３が縫着されるが、手首バンド部３に相当する部位が、指先側に略凸となるような線形をもって省かれており、一般的な釣用グローブに比べて手の甲側装着部６（手のひら側装着部７も同様）の面積は小さくなっている。なお、図６では、手の甲側装着部６と、手首バンド部３に、Ａ、Ｂ、Ｃ、Ｄの符号を付しており、これらの対応する符号の位置どうしが縫着によって一致する部位である。
【００１８】
指挿通部Ｓ１、Ｓ２、Ｓ３、Ｓ４、Ｓ５のうち、親指（母指）Ｆ１、人さし指（示指）Ｆ２、および中指Ｆ３のための指挿通部Ｓ１、Ｓ２、Ｓ３は、長さ方向途中で切断されて先端側が開放されている。このため、釣人が装着体本体２を装着すると、親指Ｆ１、人さし指Ｆ２、および中指Ｆ３の先端側が露出する。
【００１９】
図６に示すように、手首バンド部３は帯状に形成され、釣人の手首全体を締付け可能な長さに設定されている。具体的には、手首バンド部３は、後に詳述する取付部８を一体的に備えており、取付部８は手首バンド部３の長手方向一方寄り領域に配置されている。手首バンド部３における取付部８との連設縁部分は、取付部８に向けて湾曲することで、手首バンド部３の幅は大きくなっている。換言すれば、手首バンド部３の幅は、長手方向一方寄り領域（取付部８と連設する部分）が最も大きく、端側へ遠のくほど順次小さくなるよう形成されている。
【００２０】
すなわち、手首バンド部３は、手首における親指Ｆ１側を覆う部分（以下、「親指側部分」と称する）３０に比べ、手首における小指Ｆ５側を覆う部分（以下、「小指側部分」）３１の幅は、太く設定されている。手首バンド部３の長手方向一端側は、手首バンド部３の長手方向に対して傾斜するよう直線状にカットされている。手首バンド部３の長手方向他端側である親指側部分３０は、手首バンド部３を手首に巻付ける際の把手とされ、この把手の表面には、面ファスナのフック部９が縫着されている。
【００２１】
手首バンド部３は伸縮性、柔軟性に富んだ生地、例えば発泡ネオプレーン系の発泡合成樹脂素材によって形成されている。この生地は、装着体本体２に比べて厚手である。手首バンド部３の表面全体には、面ファスナのループ部として用いることができるように表面加工が施されている。
【００２２】
指カバー部４は、カバー本体１０および取付部８を備える。カバー本体１０は、例えば皮生地によって形成されている。したがって、カバー本体１０は手首バンド部３および取付部８に比べて伸縮性は乏しい。カバー本体１０は人さし指Ｆ２の先端側に着脱自在な袋状に形成されている。
【００２３】
カバー本体１０は、一枚の生地を半折りして指の甲側で接合部を縫着して形成される。この構成により、カバー本体１０は、指の甲側に、釣人が摘み易い背部１１を備える。カバー本体１０は、指の甲側が指の腹側に比べて長く形成されて、取付部８側に延長されている。この延長部分が、取付部８の先端部８ａの裏側に縫着されている。すなわち、カバー本体１０と取付部８とは釣人の人さし指Ｆ２の長さ方向途中に相当する位置で一体化されている。
【００２４】
装着体本体２を手に装着し、カバー本体１０を人さし指Ｆ２に装着した状態で、一般的な体型の釣人の人さし指Ｆ２の腹の一部（例えば第二関節近傍）が露出するようになっている。
【００２５】
取付部８は、カバー本体１０と手首バンド部３を繋ぐ部分である。取付部８は、指カバー部４の基端側部である。取付部８は、装着体本体２において釣人の手の甲に相当する領域から人さし指Ｆ２の甲に至るよう延長されている。また、取付部８は、装着体本体２に一体化される部分であり、具体的には、取付部８と装着体本体２とは、図１、３、４に示すように、取付部８において手首バンド部３寄りに形成された縫目１２（縫着）によって一体化されている。
【００２６】
そして前述したように、取付部８は手首バンド部３に一体的に形成（一体形成）されている。取付部８は、装着体本体２に比べて厚手の生地である。取付部８において人さし指Ｆ２の甲に相当する領域には、長手方向に沿う切欠１３が形成されている。図６に示すように、取付部８の先端は親指Ｆ１の手首方向へ向けて傾斜している。そして、取付部８および手首バンド部３の縁には、その材質に比べて伸縮性の劣る生地が縫着されている。
【００２７】
縫目１２は、装着体本体２における手の甲に相当する部分にあって、手首バンド部３よりも手先側で、手幅方向に沿って形成されている。換言すれば、縫目１２は、カバー本体１０と手首バンド部３の間にあって、しかも釣用グローブ１を釣人が手に装着した際には手首側に位置するよう配置されている。なお、ここで述べる縫目１２は、手の甲側装着部６と、手首バンド部３に付した、Ａ、Ｂ、Ｃ、Ｄの符号のうち、Ｂ−Ｃ間の縫目１２に相当する。
【００２８】
取付部８において、縫目１２側の手幅方向長さは、指先側の手幅方向長さに比べて大きくなるよう設定されている。縫目１２は、親指Ｆ１と人さし指Ｆ２との間に相当する部位から中指に相当する部位まで直線状に延長され、カバー本体１０の手幅方向の長さに比べて長く形成されている（カバー本体１０の手幅方向の長さは、縫目１２の手幅方向の長さに比べて短い）。
【００２９】
縫目１２について、手の甲において親指Ｆ１と人さし指Ｆ２との間（母指内転筋）に相当する部位から中指に相当する部位まで延長されている状態を、人体骨を用いて表現すれば、親指の中手骨と小指の中手骨の間において、大菱形骨と小菱形骨の中間あたりに相当する領域から、有鉤骨に至る領域まで延長された状態でということである。そして図６に示すように、縫目１２は、親指Ｆ１側から小指Ｆ５側へ向けて、指先側へ傾くようわずかに傾斜している。カバー本体１０および取付部８の一部は、縫目１２を基準に回動自在とされている。
【００３０】
図２に示すように、カバー本体１０を人さし指Ｆ２の先端側から外してカバー本体１０を返した状態で、カバー本体１０を、釣人の人さし指Ｆ２から離れた位置で取付部８または手首バンド部３に保持可能とする保持部を備えている。図１、３、４に示すように、保持部は、切欠１３の指先側で取付部８の表面に縫着された面ファスナのフック部１４と、手首バンド部３の生地であって、フック部１４と係止する前記ループ部から構成される。すなわちフック部１４は、カバー本体１０と取付部８との一体化部分に設けられている。
【００３１】
上記構成の釣用グローブ１において、釣人は指挿通部Ｓ１〜Ｓ５に各指を挿通するよう装着体本体２を手に装着し、手首バンド部３を手首に巻くことで、釣用グローブ１を手に装着することができる。この釣用グローブ１では、手首バンド部３は、釣人の手首全体を締付け可能なよう帯状に形成されるとともに、手首における親指側を覆う親指側部分３０に比べて手首における小指側を覆う小指側部分３１の幅は太く設定されている。このように、手首バンド部３において小指側部分３１の幅を太く設定することで、手首バンド部３を手首に巻いた際に良好なフィット感が得られる。
【００３２】
手首バンド部３では、親指側部分３０に比べ、小指側部分３１の幅が太く設定され、手首バンド部３の長手方向他端側である親指側部分３０は、手首バンド部３を手首に巻付ける際の把手とされている。このため釣人は、親指側部分３０を把持して手首バンド部３を手首に巻付けるようにすることで、手首バンド部３を手首に巻付け易い。そして、把手の表面には、面ファスナのフック部９が縫着されている。このため、このフック部９を手首バンド部３の表面のループ部に押圧することで、ループ部にフック部９が係止されて、図２に示すように、手首バンド部３を手首に巻付けた状態を確実に保持することができる。
【００３３】
図１に示すように、釣人は、装着体本体２を手に装着する際に、同時にカバー本体１０を人さし指Ｆ２の先端側に被せることができるが、図３に示すように、装着体本体２を手に装着し、手首バンド部３を手首に巻付けてから、カバー本体１０を人さし指Ｆ２の先端側に被せて装着することもできる。
【００３４】
装着体本体２を手に装着し、手首バンド部３を手首に巻付けてからカバー本体１０を人さし指Ｆ２に装着するには、釣人がカバー本体１０の背部１１を摘むことで、カバー本体１０を人さし指Ｆ２に装着し易くなっている。この場合では、カバー本体１０は伸縮性に乏しい生地で形成されているものの、取付部８は、伸縮性に富んだ生地から形成されており厚手の生地であることから、その伸び量（指の長さ方向での伸び量）が確保されている。このため、その伸縮性を利用して、釣人はカバー本体１０を人さし指Ｆ２に容易に装着することができる。
【００３５】
図５に示すように、カバー本体１０を人さし指Ｆ２に装着することで、人さし指Ｆ２が保護される。このため、スピニングリールを使用した投げ釣り等において、釣糸を保持しておく際に、釣人の人さし指Ｆ２に働く負荷（例えば、釣糸による剪断力）から、人さし指Ｆ２を保護することができる。
【００３６】
取付部８において、人さし指Ｆ２の甲に相当する領域には、長手方向に沿う切欠１３が形成されている。釣人が釣竿を握るとその手は拳状になり、人さし指Ｆ２の付根部分は最も突出する部位の一つとなる。しかしながら、取付部８は伸縮性、柔軟性に富んだ生地であり、しかも図４に示すように、切欠１３内に該最も突出する部位が入り込むので、釣竿をグリップした姿勢でも該最も突出する部位が痛くない。
【００３７】
釣糸を結び、釣針に餌を取付ける等、指先を使う細かい作業を行う場合では、カバー本体１０は邪魔になる。このため釣人は、図２に示すように、カバー本体１０を人さし指Ｆ２の先端側から外して手の甲側に返すようにする。そして、取付部８は伸縮性に富んだ生地で形成されているから、その伸縮性を利用して、釣人はカバー本体１０の背部１１を摘んでカバー本体１０を人さし指Ｆ２の長さ方向へ引くことでカバー本体１０を人さし指Ｆ２から離脱させて、カバー本体１０を取付部の縫目１２回りに回動するよう返すことで、カバー本体１０を人さし指Ｆ２の先端側から取外すことができる。カバー本体１０および取付部８は一体であるから、カバー本体１０を人さし指Ｆ２から外して返すようにすると、カバー本体１０の動きに伴って取付部８そのものも連なって動く。
【００３８】
カバー本体１０を人さし指Ｆ２の先端側に着脱（装着する場合および取外す場合）する際に、この釣用グローブ１では、縫目１２の手幅方向の長さが所定の長さだけ確保されている。また、縫目１２は、親指Ｆ１側から小指Ｆ５側へ向けて、指先側へ傾くようわずかに傾斜している。したがって、カバー本体１０の手幅方向の長さは短く、それ自体の挙動は不安定であっても、縫目１２の手幅方向の長さが充分に確保され、しかも、カバー本体１０を縫目１２回りに回動させる動作を安定して行うことができる。
【００３９】
カバー本体１０を取付部８の表面、または手首バンド部３の表面に保持部によって保持すると、カバー本体１０は、釣人の人さし指Ｆ２から離れた位置で保持されることになる。具体的には、釣人の人さし指Ｆ２から外して返されたカバー本体１０は、カバー本体と取付部８の一体化部分に設けた面ファスナのうちのフック部１４を、取付部８および手首バンド部３のうちの一方において、釣人の人さし指Ｆ２から離れた位置の表面に設けた面ファスナのうちのループ部に当接させることで、ループ部にフック部１４が係止して、カバー本体１０を保持できる。
【００４０】
このようにすることにより、親指Ｆ１、人さし指Ｆ２、および中指Ｆ３の先端側が露出し、指先を使う細かい作業を行う場合でも、カバー本体１０が人さし指Ｆ２から離れた位置で保持されて、人さし指Ｆ２の動きを邪魔するものがないから、該作業を楽に行うことができる。しかも、手首バンド部３および取付部８は全体の表面がループ部で形成されているため、フック部１４を、取付部８あるいは手首バンド部３という広い範囲で保持することができる。このため釣人は、カバー本体１０を、使用感の良い所望の位置に保持するようにできる。
【００４１】
手首バンド部３を手首から外し、カバー本体１０を人さし指Ｆ２の先端側から外して釣人の手から釣用グローブ１そのものを釣人の手から外すことができる。あるいは、カバー本体１０を取付部の縫目１２回りに回動させてカバー本体１０を人さし指Ｆ２の先端側から外して、手首バンド部３を手首から外すことで釣人の手から釣用グローブ１を外すことができる。
【００４２】
本実施形態の釣用グローブ１では、装着体本体２とカバー本体１０とは、取付部８の縫目１２で縫着されることで一体化されているから、装着体本体２とカバー本体１０とを別々に扱わなくてよく、装着および取外しが楽で、きわめて利便性が良い。
【００４３】
本発明の釣用グローブ１は、上記実施形態に限定されるものではない。例えば、上記実施形態では、縫目１２の長さについて、親指の中手骨と小指の中手骨の間において、大菱形骨と小菱形骨の中間あたりに相当する領域から、有鉤骨に至る領域まで延長された場合を説明した。しかしながらこれに限定されず、縫目１２を上記実施形態に比べて指先側に位置させ、大菱形骨と小菱形骨の中間あたりに相当する領域から有頭骨に至るように、上記実施形態に比べて短く設定することもできる。
【００４４】
逆に、縫目１２を上記実施形態に比べて手首側に位置させ、大菱形骨と小菱形骨の中間あたりに相当する領域から三角骨に至るように、上記実施形態に比べて長く設定することもできる。縫目１２は、手首バンド部３よりも手先側にあってしかも手幅方向に沿って形成されていればよく、縫目１２はその親指側が手先側となり、小指側が手首側になるよう傾斜していてもよい。
【符号の説明】
【００４５】
１…釣用グローブ、２…装着体本体、３…手首バンド部、４…指カバー部、５…被覆部、６…甲側装着部、７…手のひら側装着部、８…取付部、１０…カバー本体、１２…縫目、１４…フック部、３０…親指側部分、３１…小指側部分、Ｆ２…人さし指、Ｓ２…指挿通部
【図１】
2014156679.tif 000003
【図２】
2014156679.tif 000004
【図３】
2014156679.tif 000005
【図４】
2014156679.tif 000006
【図５】
2014156679.tif 000007
【図６】
2014156679.tif 000008